(57)【要約】【課題】多数の放送サービスエリアから効率良く信頼性の高い受信品質データを収集できるようにして、障害発生時に迅速に対応できるようにする受信エリアモニタシステムを提供する。【解決手段】各放送受信機ＲＳ１〜ＲＳｎにおいて、中継放送機ＢＳにより放送されるデジタル放送波のＢＥＲデータを記憶部に記録する。そして、放送運用管理装置ＢＣからの測定ＢＥＲデータの取得要求に対し、各放送受信機ＲＳ１〜ＲＳｎからネットワークＮＷを介して測定ＢＥＲデータを放送運用管理装置ＢＣへ送信する。一方、放送運用管理装置ＢＣにおいて、上記各放送受信機ＲＳ１〜ＲＳｎから収集された測定ＢＥＲデータに基づいて放送サービスエリアごとの異常発生率さらにはデジタル放送波の放送時間中における時間帯別異常発生率を算出する。【選択図】      図１
2006067000.tif 000002
【特許請求の範囲】
【請求項１】
放送局にて放送されるデジタル放送波を受信し再生する複数の放送受信装置と、これら複数の放送受信装置に対し通信ネットワークを介して接続される運用管理装置とを具備し、
前記複数の放送受信装置の各々は、
前記デジタル放送波の受信品質を測定する測定手段と、
この測定手段により測定された受信品質データを記録媒体に記録する記録手段と、
必要に応じて前記記録媒体に記録された受信品質データを前記運用管理装置に対し前記通信ネットワークを介して送信する送信手段とを備え、
前記運用管理装置は、
前記複数の放送受信装置からそれぞれ送信された受信品質データを受信する受信手段と、
この受信手段により得られる受信品質データに基づいて受信エリアごとの統計データを求める統計処理手段とを備えたことを特徴とする受信エリアモニタシステム。
【請求項２】
前記運用管理装置は、前記複数の放送受信装置に対し順次アクセスし、前記受信品質データの取得要求を前記複数の放送受信装置に対し送信する要求送信手段をさらに備え、
前記複数の放送受信装置の送信手段は、前記運用管理装置からの取得要求に応じて前記記録媒体上の受信品質データを送信することを特徴とする請求項１記載の受信エリアモニタシステム。
【請求項３】
前記複数の放送受信装置は、前記測定手段の入力信号に対し白色ノイズ信号を重畳するノイズ重畳手段とをさらに備えたことを特徴とする請求項１記載の受信エリアモニタシステム。
【請求項４】
前記複数の放送受信装置は、予め設定された時間間隔で複数チャンネルの選局を行なう選局手段をさらに備えたことを特徴とする請求項１記載の受信エリアモニタシステム。
【請求項５】
前記運用管理装置の統計処理手段は、前記統計データから障害が発生している放送局または受信エリアを特定することを特徴とする請求項１記載の受信エリアモニタシステム。
【請求項６】
放送局にて放送されるデジタル放送波を受信し再生し、かつ前記デジタル放送波の運用管理を行なう運用管理装置に対し通信ネットワークを介して接続される放送受信装置であって、
前記デジタル放送波の受信品質を測定する測定手段と、
この測定手段により測定された受信品質データを記録媒体に記録する記録手段と、
必要に応じて前記記録媒体に記録された受信品質データを前記運用管理装置に対し前記通信ネットワークを介して送信する送信手段とを具備したことを特徴とする受信エリアモニタシステムの放送受信装置。
【請求項７】
前記送信手段は、前記運用管理装置からの取得要求に応じて前記記録媒体上の受信品質データを送信することを特徴とする請求項６記載の受信エリアモニタシステムの放送受信装置。
【請求項８】
前記測定手段の入力信号に対し白色ノイズ信号を重畳するノイズ重畳手段をさらに備えたことを特徴とする請求項６記載の受信エリアモニタシステムの放送受信装置。
【請求項９】
予め設定された時間間隔で複数チャンネルの選局を行なう選局手段をさらに備えたことを特徴とする請求項６記載の受信エリアモニタシステムの放送受信装置。
【請求項１０】
放送局にて放送されるデジタル放送波を受信し再生する複数の放送受信装置に対し通信ネットワークを介して接続される運用管理装置であって、
前記複数の放送受信装置からそれぞれ送信された受信品質データを受信する受信手段と、
この受信手段により得られる受信品質データに基づいて受信エリアごとの統計データを求める統計処理手段とを具備したことを特徴とする受信エリアモニタシステムの運用管理装置。
【請求項１１】
前記複数の放送受信装置に対し順次アクセスし、前記受信品質データの取得要求を前記複数の放送受信装置に対し送信する要求送信手段をさらに備えたことを特徴とする請求項１０記載の受信エリアモニタシステムの運用管理装置。
【請求項１２】
前記統計処理手段は、前記統計データから障害が発生している放送局または受信エリアを特定することを特徴とする請求項１０記載の受信エリアモニタシステムの運用管理装置。
【請求項１３】
放送局にて放送されるデジタル放送波を受信し再生する複数の放送受信装置と、これら複数の放送受信装置に対し通信ネットワークを介して接続される運用管理装置とを備えるデジタル放送システムで使用される受信エリアモニタ方法であって、
前記複数の放送受信装置において、前記デジタル放送波の受信品質を測定し、
この測定された受信品質データを記録媒体に記録し、
必要に応じて前記記録媒体に記録された受信品質データを前記運用管理装置に対し前記通信ネットワークを介して送信し、
前記運用管理装置において、前記複数の放送受信装置からそれぞれ送信された受信品質データを受信し、
これら受信品質データに基づいて受信エリアごとの統計データを求めるようにしたことを特徴とする受信エリアモニタ方法。
【発明の詳細な説明】
【技術分野】
【０００１】
この発明は、地上デジタル放送システムで用いられる受信エリアモニタシステムと、この受信エリアモニタシステムの放送受信装置及び運用管理装置、及び受信エリアモニタ方法に関する。
【背景技術】
【０００２】
近年、地上波放送システムにおいて、デジタル放送が開始されている。このようなデジタル放送では、放送局用の機器やシステムとして、アナログ放送対応からデジタル技術の導入による番組制作のための放送局の設備までを含めたデジタル放送対応の移行期にある。この移行期において、アナログ放送とデジタル放送とが並存することになる（例えば、特許文献１）。
【０００３】
ところで、アナログ放送波では、受信許容電力の幅が広く、受信電力の低下に伴って画質が徐々に劣化するだけでなく、全く視聴できなくなることはほとんどない。これに対し、デジタル放送波では、ある受信レベルを境にしてビット誤り率が急激に増大して誤り訂正が不可能となるため、画質が急激に悪化し、視聴不能となる。
【０００４】
このため、デジタル放送を実施する場合に、デジタル放送波の品質を確認する必要がある。この品質確認のためには、電測車を各放送サービスエリアへ走らせて各放送サービスエリアごとの放送波の受信品質の測定を行なうようにしている。
【特許文献１】特開平１１−１４６３５８号公報。
【発明の開示】
【発明が解決しようとする課題】
【０００５】
ところが、上記測定方法にあっては、作業の大半を、人為的作業によって行なっている。このため、各放送サービスエリアごとの受信品質測定作業を開始してから作業が完了して集計をとるまでに多くの手間や時間がかかるとともに、コストの増大につながってしまうことになる。また、測定点のサンプル数が比較的少数に限られるため、正確な測定データを算出し難い。
【０００６】
そこで、この発明の目的は、多数の放送サービスエリアから効率良く信頼性の高い受信品質データを収集できるようにして、障害発生時に迅速に対応できるようにする受信エリアモニタシステム、この受信エリアモニタシステムの放送受信装置及び運用管理装置、及び受信エリアモニタ方法を提供することにある。
【課題を解決するための手段】
【０００７】
この発明は、上記目的を達成するために、以下のように構成される。  
（１）放送局にて放送されるデジタル放送波を受信し再生する複数の放送受信装置と、これら複数の放送受信装置に対し通信ネットワークを介して接続される運用管理装置とを具備し、複数の放送受信装置の各々は、デジタル放送波の受信品質を測定する測定手段と、この測定手段により測定された受信品質データを記録媒体に記録する記録手段と、必要に応じて記録媒体に記録された受信品質データを運用管理装置に対し通信ネットワークを介して送信する送信手段とを備え、運用管理装置は、複数の放送受信装置からそれぞれ送信された受信品質データを受信する受信手段と、この受信手段により得られる受信品質データに基づいて受信エリアごとの統計データを求める統計処理手段とを備えるようにしたものである。
【０００８】
（１）の構成によれば、各放送受信装置における受信品質データは記録媒体に記録された後通信ネットワークを介して運用管理装置にそれぞれ転送され集計される。従って、多数の放送受信装置の受信品質データを短時間に効率良く収集してその統計を取ることができ、これにより電測車で各受信エリアの調査を行なう必要がなく、障害発生時の対応の迅速化を図ることができる。
【０００９】
（２）運用管理装置は、複数の放送受信装置に対し順次アクセスし、受信品質データの取得要求を複数の放送受信装置に対し送信する要求送信手段をさらに備え、複数の放送受信装置の送信手段は、運用管理装置からの取得要求に応じて記録媒体上の受信品質データを送信することを特徴とする。
【００１０】
（２）の構成によれば、運用管理装置により各放送受信装置の記録媒体に記録された受信品質データが取得されることになるので、これにより受信品質データの送信における各放送受信装置の処理負荷は低く抑えられ、汎用の放送受信装置を使用できる。
【００１１】
（３）複数の放送受信装置は、前記測定手段の入力信号に対し白色ノイズ信号を重畳するノイズ重畳手段とをさらに備えたことを特徴とする。  
（３）の構成によれば、白色ノイズ信号を重畳した状態でデジタル放送波の受信品質を監視することで受信信号においてある一定の誤り率が得られる白色ノイズの量を判別し、その比率から信号品質劣化の度合いを検出することができる。
【００１２】
（４）複数の放送受信装置は、予め設定された時間間隔で複数チャンネルの選局を行なうことを特徴とする。  
（４）の構成によれば、各放送受信装置のユーザが手操作により各チャンネルを選局することなく、各チャンネルごとの受信品質データを測定することができる。
【発明の効果】
【００１３】
以上詳述したようにこの発明によれば、多数の放送サービスエリアから効率良く信頼性の高い受信品質データを収集できるようにして、障害発生時に迅速に対応できるようにする受信エリアモニタシステム、この受信エリアモニタシステムの放送受信装置及び運用管理装置、及び受信エリアモニタ方法を提供することができる。
【発明を実施するための最良の形態】
【００１４】
以下、この発明の実施形態について図面を参照して詳細に説明する。  
図１は、この発明の一実施形態に係わるデジタル放送システムの概略構成図である。このシステムはＳＦＮ（単一周波数ネットワーク）を利用して、デジタル放送を行なうものであり、ＢＳは中継放送機で、ＲＳ１〜ＲＳｎは放送受信機で、ＢＣは放送運用管理装置である。
【００１５】
中継放送機ＢＳから送信されたデジタル放送波は放送サービスエリアに向けて放送される。一方、各視聴者の放送受信機ＲＳ１〜ＲＳｎは家屋内に固定的に設置される。なお、放送受信機ＲＳ１〜ＲＳｎは、車両に搭載されるか又は視聴者自身が携帯することにより使用することも可能である。
【００１６】
放送受信機ＲＳ１〜ＲＳｎは、上記放送サービスエリア内において上記中継放送機ＢＳから到来するデジタル放送波を受信して再生する。また、放送受信機ＲＳ１〜ＲＳｎは、電話・携帯電話公衆網、インターネットを含むネットワークＮＷに接続される。
【００１７】
このネットワークＮＷ上には、放送運用管理装置ＢＣが接続されている。この放送運用管理装置ＢＣは例えば放送局または委託事業者ごとに設置される。そして、当該放送局が放送するデジタル放送波を管理するための機能として、視聴者データベース１１と、測定データ収集制御部１２と、統計処理部１３とを備えている。
【００１８】
視聴者データベース１１には、図２に示すように、監視委託契約を結んだ視聴者の名前や住所（エリア区分）、連絡先のＩＰアドレス、放送事業者から視聴者に対し割り当てられた登録番号（受信機番号）、一定期間分の測定ＢＥＲ（Bit Error Rate）が記憶されている。なお、登録番号は、放送受信機ＲＳ１〜ＲＳｎに書き込まれた番号である。
【００１９】
測定データ収集制御部１２は、例えば１時間或いは１日が経過するごとに、視聴者データベース１１に登録された各視聴者のＩＰアドレスを読み出し、このＩＰアドレスに基づき、ネットワークＮＷを介して各放送受信機ＲＳ１〜ＲＳｎに順次アクセスし、各放送受信機ＲＳ１〜ＲＳｎに蓄積された測定ＢＥＲデータの取得要求の送信と、取得要求による測定ＢＥＲデータの受信とを行なう。そして、受信した測定ＢＥＲデータを視聴者データベース１１に対応付けて測定ＢＥＲデータに蓄積する。
【００２０】
統計処理部１３は、上記視聴者データベース１１に蓄積された測定ＢＥＲデータをもとに、放送サービスエリアごとの異常発生率さらにはデジタル放送波の放送時間中における時間帯別異常発生率を算出する。
【００２１】
一方、放送受信機ＲＳ１〜ＲＳｎは次のように構成される。図３はその構成を示すブロック図である。ここでは、放送受信機ＲＳ１を代表して説明する。
【００２２】
すなわち、中継放送機ＢＳから放送チャンネルにより放送されたデジタル放送波は、アンテナを介して受信部２１で受信されたのち映像処理部２２に入力され、ここで所定の映像信号処理が施されて表示器２３に表示される。
【００２３】
さらに、放送受信機ＲＳ１は、可変白色雑音発生器２４と、乗算器２５と、ＢＥＲ測定器２６と、記憶部２７と、通信制御部２８とを備えている。可変白色雑音発生器２４は、白色雑音信号を発生するもので、その信号レベルは任意に設定可能である。
【００２４】
受信部２１から出力された受信信号は、乗算器２５により可変白色雑音発生器２４からの白色雑音信号と乗算されてＢＥＲ測定器２６に供給される。ＢＥＲ測定器２６は、受信信号の誤り率つまりＢＥＲを測定し、その測定結果を記憶部２７に記録する。すなわち、ここで用いる信号品質測定の手法では、ＯＦＤＭ(Orthogonal  Frequency  Division  Multiplexing)信号の伝送路に白色雑音信号を乗せた状態でＣ／Ｎ比を見ることでＯＦＤＭ信号においてある一定の誤り率が得られるノイズの量を判定し、その比率から劣化の度合いを検出するようにしている。
【００２５】
通信制御部２８は、ネットワークＮＷを介して放送運用管理装置ＢＣとの間で通信を行なうもので、放送運用管理装置ＢＣから送られる測定ＢＥＲデータの取得要求の受信と、この取得要求に応じて上記記憶部２７に蓄積されている測定ＢＥＲデータの送信とを行なう。
【００２６】
また、ＢＥＲ測定器２６は、予め設定された時間間隔で複数チャンネルの選局を行なう自動選局機能を備えている。
【００２７】
次に、以上のように構成されたシステムにおける放送サービスエリア監視方法を説明する。
【００２８】
先ず放送事業者は、受信品質監視を行なうべく視聴者と契約を結ぶ。このとき、放送事業者は、契約者の名前や住所（エリア区分）、連絡先のＩＰアドレス、放送事業者から視聴者に対し割り当てられた登録番号（受信機番号）を視聴者データベース１１に登録する。そして、放送事業者は、各放送受信機ＲＳ１〜ＲＳｎに対し受信品質の監視を委託する。
【００２９】
図４は、放送受信機ＲＳ１の処理手順を示すフローチャートである。  
まず、放送受信機ＲＳ１はデジタル放送波を受信し（ステップＳＴ４ａ）、この受信信号のＢＥＲを測定し（ステップＳＴ４ｂ）、この測定結果を記憶部２７に記録する（ステップＳＴ４ｃ）。
【００３０】
そして、放送受信機ＲＳ１は、放送運用管理装置ＢＣからの取得要求の到来を監視し（ステップＳＴ４ｄ）、取得要求が到来した場合に、記憶部２７から測定ＢＥＲデータを読み出し（ステップＳＴ４ｅ）、この読み出したＢＥＲデータをネットワークＮＷを介して要求元の放送運用管理装置ＢＣへ向け送信する（ステップＳＴ４ｆ）。
【００３１】
一方、上記ステップＳＴ４ｄにおいて、放送運用管理装置ＢＣからの取得要求が到来するまでの間に、放送受信機ＲＳ１は自動選局モードになっているか否かの判断を行ない（ステップＳＴ４ｇ）、自動選局モードである場合（Ｙｅｓ）、他のチャンネルを選局して上記ステップＳＴ４ａ乃至ステップＳＴ４ｄの処理を実行し、自動選局モードでない場合（Ｎｏ）、処理を終了する。
【００３２】
これに対し、放送運用管理装置ＢＣは、図５に示す処理手順を実行する。  
まず、放送運用管理装置ＢＣは、一定期間、例えば１時間ごとに、視聴者データベース１１に登録されている放送受信機ＲＳ１〜ＲＳｎのＩＰアドレスをもとに、ネットワークＮＷを介して各放送受信機ＲＳ１〜ＲＳｎに順次アクセスし、各放送受信機ＲＳ１〜ＲＳｎに対し測定ＢＥＲデータの取得要求を送信する（ステップＳＴ５ａ）。
【００３３】
そして、放送運用管理装置ＢＣは、各放送受信機ＲＳ１〜ＲＳｎからの測定ＢＥＲデータを受信し（ステップＳＴ５ｂ）、これら測定ＢＥＲデータを視聴者データベース１１に各ユーザに対応付けて一旦蓄積する（ステップＳＴ５ｃ）。
【００３４】
そして、一定期間分、例えば１日、１週間或いは１ヶ月分のＢＥＲデータが集まった時点で（ステップＳＴ５ｄ）、放送運用管理装置ＢＣはこれらＢＥＲデータをもとに放送サービスエリアごとの異常発生率と、デジタル放送波の放送時間中における時間帯別異常発生率を算出する（ステップＳＴ５ｅ）。
【００３５】
以後、放送運用管理装置ＢＣは、算出した時間帯別異常発生率をもとに、図６に示す如く、１日の変動を分析することにより、中継放送機ＢＳの故障等を特定でき、図７に示す如く１ヶ月内の変動を分析することにより、各放送受信機ＲＳ１〜ＲＳｎの機器の劣化兆候を未然に把握でき、図８に示す如く１年内の変動を分析することにより、季節変動を特定できる。
【００３６】
以上のように上記実施形態では、各放送受信機ＲＳ１〜ＲＳｎにおいて、中継放送機ＢＳにより放送されるデジタル放送波のＢＥＲデータを記憶部２７に記録する。そして、放送運用管理装置ＢＣからの測定ＢＥＲデータの取得要求に対し、各放送受信機ＲＳ１〜ＲＳｎからネットワークＮＷを介して測定ＢＥＲデータを放送運用管理装置ＢＣへ送信するようにしている。一方、放送運用管理装置ＢＣにおいて、上記各放送受信機ＲＳ１〜ＲＳｎから収集された測定ＢＥＲデータに基づいて放送サービスエリアごとの異常発生率さらにはデジタル放送波の放送時間中における時間帯別異常発生率を算出するようにしている。
【００３７】
従って、広範囲の放送受信機ＲＳ１〜ＲＳｎの測定ＢＥＲデータを短時間に効率良く収集してその統計を取ることができ、これにより電測車で各放送サービスエリアの調査を行なう必要がなく、障害発生時の対応の迅速化を図ることができる。
【００３８】
また、上記実施形態では、放送運用管理装置ＢＣによるポーリング収集方法により、各放送受信機ＲＳ１〜ＲＳｎの記憶部２７に記録された測定ＢＥＲデータが順に取得されることになるので、測定ＢＥＲデータの送信における各放送受信機ＲＳ１〜ＲＳｎの処理負荷は低く抑えられ、これにより安価な放送受信機を使用できる。
【００３９】
さらに、上記実施形態では、各放送受信機ＲＳ１〜ＲＳｎにおいて、予め設定された時間間隔で複数チャンネルの選局を行なう機能を備えているので、各放送受信機ＲＳ１〜ＲＳｎのユーザが手操作により各チャンネルを選局することなく、各チャンネルごとの受信品質データを測定することができる。
【００４０】
なお、この発明は上記実施形態に限定されるものではない。上記実施形態では、地上波を使用するデジタル放送システムを例にとって説明したが、ケーブルテレビジョン（ＣＡＴＶ）システムにも、同様に適用可能である。
【００４１】
また、上記実施形態では、放送運用管理装置の取得要求に応じて各放送受信機から放送運用管理装置へ測定ＢＥＲデータを送信する例について説明したが、各放送受信機において、予め設定された期間ごとに測定ＢＥＲデータを放送運用管理装置に送信するようにしてもよい。このようにすれば、測定ＢＥＲデータの収集に要する放送運用管理装置の処理負担を軽減でき、これによりさらに精度のよい異常発生率を算出できる。また、測定ＢＥＲデータの送信タイミングを放送を受信していない期間に選ぶようにすると、放送受信機の処理負担はさらに軽減される。
【００４２】
さらに、上記実施形態では、各放送受信機において、受信信号のＢＥＲを測定するようにしているが、ＢＥＲ以外のＣ／Ｎといった受信品質データであってもよい。
【００４３】
その他、システム構成や、放送受信機の構成、放送運用管理装置の構成、測定ＢＥＲデータの収集方法、測定ＢＥＲデータの統計処理の内容等についても、この発明の要旨を逸脱しない範囲で種々変形して実施できる。
【図面の簡単な説明】
【００４４】
【図１】この発明の一実施形態に係わるデジタル放送システムの概略構成図。
【図２】図１に示した放送運用管理装置の視聴者データベースの記憶内容の一例を示す図。
【図３】図１に示した放送受信機の具体的構成を示すブロック図。
【図４】図１に示した放送受信機の処理手順を示すフローチャート。
【図５】図１に示した放送運用管理装置の処理手順を示すフローチャート。
【図６】図１に示した放送運用管理装置により統計処理された異常発生率の一例を示す図。
【図７】図１に示した放送運用管理装置により統計処理された異常発生率の他の一例を示す図。
【図８】図１に示した放送運用管理装置により統計処理された異常発生率の他の一例を示す図。
【符号の説明】
【００４５】
１１…視聴者データベース、１２…測定データ収集制御部、１３…統計処理部、２１…受信部、２２…映像処理部、２３…表示器、２４…可変白色雑音発生器、２５…乗算器、２６…ＢＥＲ測定器、２７…記憶部、２８…通信制御部、ＢＳ…中継放送機、ＮＷ…ネットワーク、ＢＣ…放送運用管理装置、ＲＳ１〜ＲＳｎ…放送受信機。
【図１】
2006067000.tif 000003
【図２】
2006067000.tif 000004
【図３】
2006067000.tif 000005
【図４】
2006067000.tif 000006
【図５】
2006067000.tif 000007
【図６】
2006067000.tif 000008
【図７】
2006067000.tif 000009
【図８】
2006067000.tif 000010